(57)【要約】【課題】  電動工具において、バッテリパックの保護性能の向上に資する技術を提供する。【解決手段】  本発明の電動工具は、工具本体１０３と、加工作業を行う先端工具と、先端工具を駆動する駆動モータと、工具本体に取り外し自在に装着されて当該工具本体の外部に露出した状態に置かれるとともに、駆動モータに駆動電流を供給するバッテリパック１１１と、工具本体に取り外し自在に装着されてバッテリパック１１１を保護するプロテクタ１２１と、を有する。プロテクタ１２１は、当該プロテクタ１２１が工具本体１０３に装着された際に、工具本体１０３に装着されたバッテリパック１１１を保護するバッテリ保護領域１２３を有する。バッテリ保護領域１２３は、バッテリパック１１１の外表面から離間した状態で、当該バッテリパック１１１の外表面の少なくとも一部の上に配置され、当該バッテリパック保護領域１２３に加えられる外力が、バッテリパック１１１に伝達されるのを防止する構成とした。【選択図】  図３
2008036753.tif 000002
【特許請求の範囲】
【請求項１】
工具本体と、
前記工具本体に装着されて所定の加工作業を行う先端工具と、
前記工具本体内に配置されて前記先端工具を駆動する駆動モータと、
前記工具本体に取り外し自在に装着されて当該工具本体の外部に露出した状態に置かれるとともに、前記駆動モータに駆動電流を供給するバッテリパックと、
前記工具本体に取り外し自在に装着されて前記バッテリパックを保護するプロテクタと、を有し、
前記プロテクタは、当該プロテクタが前記工具本体に装着された際に、前記工具本体に装着されたバッテリパックを保護するバッテリ保護領域を有し、
前記バッテリ保護領域は、バッテリパックの外表面から離間した状態で、当該バッテリパックの外表面の少なくとも一部の上に配置され、当該バッテリパック保護領域に加えられる外力が、バッテリパックに伝達されるのを防止する構成としたことを特徴とする電動工具。
【請求項２】
請求項１に記載の電動工具であって、
前記工具本体は、前記先端工具による加工作業を補佐する付属品を取外し自在に装着するために備えられた取付部を有し、
前記取付部には、前記プロテクタと前記付属品とのいずれか一方が選択的に取り付けられるようになっていることを特徴とする電動工具。
【請求項３】
請求項１または２に記載の電動工具であって、
前記工具本体は、当該工具本体の長軸方向と交差する方向に延在するグリップを有し、
前記バッテリパックは、前記グリップの延在方向端部に対して、前記グリップの延在方向と交差する方向、または前記グリップの延在方向への移動によって着脱が可能とされており、
前記バッテリパックは、当該バッテリパックを前記延在方向端部から取外す際に、当該取外しを可能とするために操作される操作部を有し、
前記プロテクタは、使用者が手指により前記操作部を操作して前記バッテリパックの取外しを可能とする状態に保持しつつ、前記バッテリパックを掴んで前記グリップの延在方向と交差する方向、または前記グリップの延在方向へと移動することによって前記延在方向端部から前記バッテリパックを取外す際、前記バッテリパックが、前記プロテクタに干渉することなく通り抜けることを許容する開放領域を有し、
前記バッテリ保護領域は、前記開放された領域以外の領域に設けられていることを特徴とする電動工具。
【請求項４】
工具本体と、
前記工具本体に装着されて所定の加工作業を行う先端工具と、
前記工具本体内に配置されて前記先端工具を駆動する駆動モータと、
前記工具本体に取り外し自在に装着されて当該工具本体の外部に露出した状態に置かれるとともに、前記駆動モータに駆動電流を供給するバッテリパックと、を有する電動工具に適用され、
前記工具本体に取り外し自在に装着されて前記バッテリパックを保護する電動工具用プロテクタであって、
前記プロテクタは、当該プロテクタが前記工具本体に装着された際に、前記工具本体に装着されたバッテリパックを保護するバッテリ保護領域を有し、
前記バッテリ保護領域は、バッテリパックの外表面から離間した状態で、当該バッテリパックの外表面の少なくとも一部の上に配置され、当該バッテリパック保護領域に加えられる外力が、バッテリパックに伝達されるのを防止する構成としたことを特徴とする電動工具用プロテクタ。
【発明の詳細な説明】
【技術分野】
【０００１】
本発明は、バッテリを電源とする電動工具に関し、詳しくはバッテリパックを保護する技術に関する。
【背景技術】
【０００２】
バッテリを電源とする電動工具においては、使用時あるいは可搬時に他物にぶつけるとか、落すとかしたときの衝撃からバッテリパックを保護するべく、衝撃対策が施されている。このような電動工具は、例えばＥＰ特許公開第１５１６７０２号公報（特許文献１）に開示されている。上記公報には、弾性体を主体とする緩衝用の保護部材をバッテリパック自体に直接的に設け、当該保護部材によってバッテリパックを衝撃から保護する技術が開示されている。
ところが、上述した公報に記載の電動工具では、バッテリパックに緩衝部材としての保護部材を直接的に設ける構成であり、衝撃吸収効果が十分とはいい難く、また保護部材が破損したときは、バッテリパック毎交換しなければならないものであり、この点でなお改良の余地がある。
【特許文献１】ＥＰ特許公開第１５１６７０２号公報
【発明の開示】
【発明が解決しようとする課題】
【０００３】
本発明は、かかる点に鑑みてなされたものであり、電動工具において、バッテリパックの保護性能の向上に資する技術を提供することを目的とする。
【課題を解決するための手段】
【０００４】
上記課題を達成するため、各請求項記載の発明が構成される。
請求項１に記載の発明によれば、工具本体と、工具本体に装着されて所定の加工作業を行う先端工具と、工具本体内に配置されて前記先端工具を駆動する駆動モータと、工具本体に取り外し自在に装着されて当該工具本体の外部に露出した状態に置かれるとともに、駆動モータに駆動電流を供給するバッテリパックと、を有する電動工具が構成される。なお本発明における「露出した状態に置かれる」とは、例えば、工具本体に、当該工具本体の長軸方向（使用者から見て前後方向）と交差する方向（使用者から見て上下方向）に延在するグリップが連接された略Ｌ形あるいは略Ｔ形の電動工具の場合であれば、概ね箱形の外郭形状を有するバッテリパックが、グリップの延在方向端面に１つの外表面を接触した状態で装着され、他の５つの外表面が露出されている状態がこれに該当する。また本発明における「電動工具」は、充電式震動ドライバドリル、充電式ドリル、あるいは充電式インパクトドライバのような穴開け作業や締付け作業に用いられる各種電動工具のほか、充電式丸鋸のような切断工具、あるいは充電式グラインダのような研削工具等、手持式の各種電動工具に広く包含する。
【０００５】
本発明の電動工具は、特徴的構成として、工具本体に取り外し自在に装着されて前記バッテリパックを保護するプロテクタを有する。プロテクタは、アダプタの一種として備えられる。プロテクタは、当該プロテクタが工具本体に装着された際に、工具本体に装着されたバッテリパックを保護するバッテリパック保護領域を有する。バッテリ保護領域は、バッテリパックの外表面から離間した状態で、当該バッテリパックの外表面の少なくとも一部の上に配置され、当該バッテリパック保護領域に加えられる外力が、バッテリパックに伝達されるのを防止する構成とした。なお本発明における「バッテリパック保護領域」は、典型的には、バッテリパックの外表面の少なくとも一部あるいは全体を取り囲むように配置される枠状部材によって構成される。そして当該枠状部材は、剛性を有する板金によって構成される態様、板金が挿入された弾性体（ゴム成形品）から形成される態様、あるいは板金が挿入された樹脂成形品から形成される態様等を好適に包含する。
【０００６】
本発明によれば、バッテリパックの外表面から離間した状態で配置されるバッテリパック保護領域を有するプロテクタを設け、電動工具の使用中あるいは可搬時において、他物にぶつけるとか、あるいは地上に落すとかした場合において、プロテクタのバッテリパック保護領域に作用した外力（衝撃力）がバッテリパックに伝達しない構成としている。このことにより、バッテリパックを外力から保護することができる。この場合、バッテリパック保護領域がゴムのような弾性体を有する構成とすれば、当該弾性体の弾性変形を利用して衝撃を緩和することが可能になる。また本発明においては、プロテクタを工具本体に取り外し自在に装着する構成としている。このため、プロテクタが損傷した場合には、当該プロテクタのみを交換することで対応できる。なお電動工具による作業形態によっては、プロテクタが加工作業の邪魔になることもあり得るが、本発明では、プロテクタを工具本体に対して取外し自在に装着する構成のため、このような場合には、プロテクタを工具本体から取り外した状態で加工作業を行うことができる。
【０００７】
（請求項２に記載の発明）
請求項２に記載の発明によれば、請求項１に記載の電動工具における工具本体は、先端工具による加工作業を補佐する付属品を取外し自在に装着するために備えられた取付部を有する。そして取付部には、プロテクタと付属品とのいずれか一方が選択的に取り付けることができるようになっている。なお本発明における「補佐する」とは、加工作業を直接的に補佐する態様、あるいは間接的に補佐する態様のいずれも好適に包含する。直接に補佐する「付属品」としては、典型的には、加工作業領域を照射するライトがこれに該当する。また間接的に補佐する「付属品」としては、電動工具を使用者の腰ベルトに引っ掛けるための引っ掛けフック、あるいは電動工具が、例えば充電式震動ドライバドリルの場合であれば、ドライバビットを保持するためのビットホルダがこれに該当する。本発明における「取付部」は、典型的には、付属品に形成された係止片を係止溝に差し込んだ状態で取付ネジによって止着することにより、付属品を工具本体に装着する構成とされる。本発明によれば、既存の取付部にプロテクタと付属品とのいずれか一方を選択的に取り付けることができる電動工具が提供される。
【０００８】
（請求項３に記載の発明）
請求項３に記載の発明によれば、請求項１または２に記載の電動工具における工具本体は、当該工具本体の長軸方向と交差する方向に延在するグリップを有する。またバッテリパックは、グリップの延在方向端部に対して、当該グリップの延在方向と交差する方向、または当該グリップの延在方向への移動によって着脱が可能とされるとともに、当該バッテリパックを延在方向端部から取外す際に、当該取外しを可能とするために使用者の手指により操作される操作部を有している。またプロテクタは、使用者が手指により操作部を操作してバッテリパックの取外しを可能とする状態に保持しつつ、バッテリパックを掴んでグリップの延在方向と交差する方向、またはグリップの延在方向へと移動することによって延在方向端部からバッテリパックを取外す際、バッテリパックが、プロテクタに干渉することなく通り抜けることを許容する開放領域を有する。そしてバッテリ保護領域は、開放領域以外の領域に設けられている。
グリップの延長方向端部にバッテリパックが装着される電動工具の場合、バッテリパックがグリップの延在方向と交差する方向に移動することで着脱できるスライド式と、グリップの延在方向に移動することによって着脱できる抜き差し式とが知られている。したがって、グリップの延在方向と交差する方向に移動するスライド式の場合であれば、プロテクタは、典型的には、バッテリパックのスライド方向である前面部および後面部が開放され、左右側面部および底面部にバッテリパック保護領域を有する構成とされる。他方、グリップの延在方向に移動する抜き差し式の場合であれば、プロテクタは、典型的には、操作部と対応する左右側面部と、抜き差し方向と交差する底面部がそれぞれ開放され、前面部と後面部、あるいは前面部、後面部および上面部にバッテリパック保護領域を有する構成とされる。
【０００９】
本発明によれば、上記のように、プロテクタに、バッテリパックを掴んだ手指とともにバッテリパックが、当該プロテクタに干渉することなく通り抜けることを可能とする開放領域を設けるとともに、当該開放領域以外の領域にバッテリ保護領域を備える構成としている。したがって、使用者は、プロテクタを工具本体に装着したままで、当該プロテクタの開放領域から手指を差し入れ、操作部を操作してバッテリパックの取外しを可能とした状態に保持しつつ、バッテリパックを移動して工具本体から取り外し、あるいは取り付けることができる。このため、バッテリパックの着脱作業の作業性が向上される。
【００１０】
（請求項４に記載の発明）
請求項４に記載の発明によれば、工具本体と、工具本体に装着されて所定の加工作業を行う先端工具と、工具本体内に配置されて先端工具を駆動する駆動モータと、工具本体に取り外し自在に装着されて当該工具本体の外部に露出した状態に置かれるとともに、駆動モータに駆動電流を供給するバッテリパックと、を有する電動工具に適用され、工具本体に取り外し自在に装着されてバッテリパックを保護する電動工具用プロテクタが構成される。プロテクタは、当該プロテクタが工具本体に装着された際に、工具本体に装着されたバッテリパックを保護するバッテリパック保護領域を有する。バッテリ保護領域は、バッテリパックの外表面から離間した状態で、当該バッテリパックの外表面の少なくとも一部の上に配置され、当該バッテリパック保護領域に加えられる外力が、バッテリパックに伝達されるのを防止する構成とした。なお本発明における「露出した状態に置かれる」とは、例えば、工具本体に、当該工具本体の長軸方向（使用者から見て前後方向）と交差する方向（使用者から見て上下方向）に延在するグリップが連接された略Ｌ形あるいは略Ｔ形の電動工具の場合であれば、概ね箱形の外郭形状を有するバッテリパックが、ブリップの延在方向端面に１つの外表面を接触した状態で装着され、他の５つの外表面が露出されている状態がこれに該当する。また本発明における「プロテクタ」は、充電式震動ドライバドリル、充電式ドリル、あるいは充電式インパクトドライバのような穴開け作業や締付け作業に用いられる各種電動工具のほか、充電式丸鋸のような切断工具、あるいは充電式グラインダのような研削工具等、手持式の各種電動工具に広く包含する。また本発明における「バッテリパック保護領域」は、典型的には、バッテリパックの外表面の少なくとも一部あるいは全体を取り囲むように配置される枠状部材によって構成される。そして当該枠状部材は、剛性を有する板金によって構成される態様、板金が挿入された弾性体（ゴム成形品）から形成される態様、あるいは板金が挿入された樹脂成形品から形成される態様等を好適に包含する。
【００１１】
本発明の電動工具用プロテクタは、電動工具の工具本体に装着した状態で用いられる。電動工具用プロテクタは、当該装着状態では、工具本体に装着されたバッテリパックを、電動工具の使用時あるいは可搬時に他物にぶつけたり地面等に落したりしたときの衝撃から保護できる。また電動工具用プロテクタは、電動工具を構成する工具構成部品とは異なる、アクセサリ的な要素を持ち合わせるものであり、その形状あるいは色彩に関しては、自由設計を可能とする。
【発明の効果】
【００１２】
本発明によれば、電動工具において、バッテリパックの保護性能の向上に資する技術が提供されることとなった。
【発明を実施するための最良の形態】
【００１３】
以下、本発明の第１の実施形態につき、図１〜図４を参照しつつ詳細に説明する。本実施の形態は、電動工具の一例として、ねじの締付け作業および穴開け作業に用いられる充電式震動ドライバドリルの場合で説明する。図１には充電式震動ドライバドリルの外観構成が斜視図として示される。図１に示すように、本実施の形態に係る震動ドライバドリル１００は、概括的に見て、震動ドライバドリル１００の外郭を形成する本体部１０１、および当該本体部１０１の先端領域に着脱自在に取り付けられて各種ネジのネジ締め作業を行うドライバビットあるいは穴開け作業を行うドリルビット（便宜上図示を省略する）を主体として構成される。本体部１０１は、本発明における「工具本体」に対応し、ドライバビットあるいはドリルビットは、本発明における「先端工具」に対応する。なお以下の説明では、説明の便宜上、本体部１０１の先端側（ビット側）を前方、その反対側を後方という。
【００１４】
本体部１０１は、モータハウジング１０３、ギアハウジング１０５およびハンドグリップ１０７から構成されている。モータハウジング１０３内には、ビットを駆動する駆動モータ（便宜上図示を省略する）が収容されている。ハンドグリップ１０７には、駆動モータの電源スイッチを投入操作するトリガ１０７ａが設けられている。ギアハウジング１０５内には、駆動モータの回転出力をビットに伝達する動力伝達機構（便宜上図示を省略する）が収容されている。
【００１５】
本実施の形態に係る震動ドライバドリル１００は、ハンドグリップ１０７が、本体部１０１の長軸方向（前後方向）の略中央部から当該長軸方向と交差する方向（下方向）へと延在するＴ字形に形成されている。そしてハンドグリップ１０７の延在端部である下端部には、ハンドグリップ１０７の断面積よりも広い所定の平面広さを有するバッテリホルダ部１０９が形成され、当該バッテリホルダ部１０９の下面に駆動モータに駆動電流を供給するためのバッテリパック１１１が装着されている。ハンドグリップ１０７は、本発明における「グリップ」に対応し、バッテリホルダ部１０９は、本発明における「延在方向端部」に対応する。バッテリパック１１１は、上方が開放された略方形箱型のバッテリケース１１３、バッテリケース１１３内に収容される複数の電池セル（便宜上図示を省略する）、およびバッテリケース１１３の上方開口部を蓋う着脱自在なバッテリカバー１１５を主体として構成されている。
【００１６】
バッテリパック１１１は、本体部１０１の長軸方向（前後方向）へと水平状に移動させるスライド方式によってバッテリホルダ部１０９に取外し可能に装着される構成とされている。このために、バッテリパック１１１の上面、すなわちバッテリカバー１１５の上面には、装着ガイド（便宜上図示を省略する）が設けられ、またバッテリカバー１１５の内面側には、ロック装置（便宜上図示を省略する）が設けられている。装着ガイドは、バッテリパック１１１をバッテリホルダ部１０９の前方から後方へとスライドさせて当該バッテリホルダ部１０９に取り付ける際の案内手段、およびバッテリパック１１１のバッテリホルダ部１０９からの落下を防止する手段として機能する。
【００１７】
ロック装置は、バッテリパック１１１を前方から後方へとスライドさせてバッテリホルダ部１０９に取り付けたとき、バッテリパック１１１側に設けられたフックがバッテリホルダ部１０９に形成された係止部に係止することでロック（固定）する構成とされ、これによりバッテリパック１１１が前方（取り外す方向）にスライドして離脱することを防止する。なおフックは、常時にバネによる付勢力が係止方向に作用する構成とされる。バッテリパック１１１の前面（バッテリカバー１１５の前面）１１１ａには、外側から押圧操作することによってロック装置のロックを解除することが可能なロック解除レバー１１７が配設されている。ロック解除レバー１１７は、本発明における「操作部」に対応する。バッテリホルダ部１０９に装着されたバッテリパック１１１は、当該バッテリホルダ部１０９に対する装着面である上面を除いては、本体部１０３の外部に露出された状態に置かれる。
【００１８】
次にバッテリホルダ部１０９に装着されたバッテリパック１１１を保護するためのバッテリプロテクタ１２１につき、図２〜図４を参照しつつ詳しく説明する。バッテリプロテクタ１２１は、本発明における「プロテクタ」に対応する。図２はバッテリプロテクタ１２１の全体構成を示す斜視図であり、図３および図４は震動ドライバドリル１００に装着されたバッテリプロテクタ１２１を示している。バッテリプロテクタ１２１は、バッテリホルダ部１０９に着脱自在に装着されるが、その取付構造については、後述する。本実施の形態に係るバッテリプロテクタ１２１は、図２に示すように、前後方向に延在する左右の側枠部１２３と、それら左右の側枠部１２３を下部側において相互に結合する連結板１２５とを主体として前面視で略Ｕ字形に構成されている。すなわち、バッテリプロテクタ１２１は、前方と後方および上方が開放され、左右の側方と下方が塞がれたフレーム構造とされている。左右の側枠部１２３および連結板１２５は、本発明における「バッテリパック保護領域」に対応する。左右の側枠部１２３は、側面視で中央に開口部を有する略矩形の枠状に形成された板金製の剛体部１２３ａと、当該剛体部１２３ａの上辺領域および下辺領域を包み込む弾性変形可能な合成ゴム製の弾性体部１２３ｂとからなり、インサート成形によって形成される。側枠部１２３は、バッテリパック１１１の上下方向の高さを超える上下高さ、およびバッテリパック１１１の前後方向長さを超える前後長さを有する。
【００１９】
左右の側枠部１２３における剛体部１２３ａの下辺部には、それぞれ長手方向（前後方向）の前部領域から内側に向って水平状に突出する突片１２３ｃが一体に設けられており、それら突片１２３ｃに、板金製の連結板１２５が連結ピン１２７によって水平面上での相対回動自在に連結されている。これにより左右の側枠部１２３は、バッテリプロテクタ１２１をバッテリホルダ部１０９に取り付ける際、あるいは取り外す際、連結ピン１２７を支点にして水平に回動することで、後側の間隔を変えることが可能とされている。
【００２０】
次にバッテリプロテクタ１２１のバッテリホルダ部１０９に対する取付構造につき、説明する。図１に示すように、バッテリホルダ部１０９の左右の後部側面には、前後方向に水平に延在するスリット状の係止溝１０９ａが形成され、当該係止溝１０９ａのやや下方位置にネジ孔付きの取付部１０９ｂが形成されている。上記の係止溝１０９ａおよび取付部１０９ｂは、既存の付属品である、震動ドライバドリル１００を使用者の腰ベルトに引っ掛けるための引っ掛けフック（便宜上図示を省略する）、あるいは予備のドライバビットを保持するビットホルダ（便宜上図示を省略する）を装着するための付属品の装着部として備えられており、本実施の形態においては、この装着部を利用してバッテリプロテクタ１２１を装着できる構成としている。上記の装着部は、本発明における「取付部」に対応する。
【００２１】
図２に示すように、左右の側枠部１２３における剛体部１２３ａの上辺部には、それぞれ長手方向の後側領域から内側に向かって水平状に突出する係止片１２３ｄが一体に設けられ、当該係止片１２３ｄのやや下方位置に左右方向に貫通する取付孔１２３ｅが設けられている。左右の係止片１２３ｄは、バッテリプロテクタ１２１をバッテリホルダ部１０９に取り付ける際、バッテリホルダ部１０９の左右の係止溝１０９ａに挿入されることで当該バッテリホルダ部１０９に対するバッテリプロテクタ１２１の位置決め手段、および仮止め手段として機能する。
【００２２】
上記のように構成されたバッテリプロテクタ１２１は、下記の手順で取付作業を行うことでバッテリホルダ部１０９に取り付けられる。すなわち、連結ピン１２７を支点にして左右の側枠部１２３をその後側間隔が広がる方向へと回動させた状態で、左右の側枠部１２３がバッテリパック１１１の左右の側面１１１ｂと対向するように配置し、その後、左右の側枠部１２３をその後側が狭まる（元に戻す）ように連結ピン１２７回りに回動することによって、左右の係止片１２３ｄをバッテリホルダ部１０９の係止溝１０９ａに挿入する。これにより、バッテリホルダ部１０９に対してバッテリプロテクタ１２１が位置決めされるとともに仮止めされる。この状態で、取付孔１２３ｅから取付ネジ１２９を差し込んでプロテクタ取付部１０９ｂのネジ孔に締め込むことにより、バッテリホルダ部１０９にバッテリプロテクタ１２１を取り付けることができる。なおバッテリプロテクタ１２１は、上記とは逆の手順で取り外し作業を行うことでバッテリホルダ１０９から取り外すことができる。
【００２３】
バッテリホルダ部１０９に取り付けられたバッテリプロテクタ１２１が図３および図４に示される。バッテリプロテクタ１２１は、バッテリホルダ部１０９に取り付けられた状態では、左右の側枠部１２３の内面がバッテリパック１１１の左右の側面１１１ｂから離間した状態で当該側面１１１ｂ上に配置されるとともに、連結板１２５の上面がバッテリパック１１１の底面１１１ｄから離間した状態で当該底面１１１ｄ上に配置される。また左右の側枠部１２３は、その前側部分がバッテリパック１１１の前面１１１ａよりも前方へ所定量突出し、後側部分がバッテリパック１１１の後面１１１ｃよりも後方へ所定量突出し、下側部分がバッテリパック１１１の底面１１１ｄよりも下方へ所定量突出する構成とされる。そしてバッテリパック１１１のロック解除レバー１１７が取り付けられた前面１１１ａと対向する前方部分、および後面１１１ｃと対向する後方部分については、バッテリパック１１１をバッテリホルダ部１０９に着脱する際、当該バッテリパック１１１を掴んだ手指がバッテリパック１１１とともに通れるように、それぞれ開放される。図２において、前方開放部分が符号ＦＯによって示され、後方開放部分が符号ＲＯによって示される。
【００２４】
このため、例えばバッテリパック１１１の充電のために、当該バッテリパック１１１をバッテリホルダ部１０９から取り外す場合には、使用者は、例えば前方開放部分ＦＯに親指を差し入れ、後方開放部分ＲＯに親指以外の指を差し入れる。ロック解除レバー１１７を親指で押し込み操作してロック装置によるバッテリパック１１１のバッテリパック部１０９に対するロックを解除し、その解除した状態を保持しつつ、親指以外の指でバッテリパック１１１と後面１１１ｃを掴んでバッテリパック１１１を前方へとスライドする。これにより、バッテリプロテクタ１２１の前方開放部分ＦＯを通してバッテリパック１１１を当該バッテリプロテクタ１２１に干渉することなくバッテリホルダ部１０９から取り外すことができる。なおバッテリパック１１１を装着位置から所定量移動させた位置では、ロック装置は、ロック解除レバー１１７から手指を離してもロックが解除された状態に維持される。したがって、バッテリパック１１１を完全に取り外すまでロック解除レバー１１７の押し込み操作を継続する必要はなく、取り外し途中での掴み直しが許容される。本実施の形態では、バッテリパック１１１を取り外す際、親指以外の指が連結版１２５を横切ることになるが、上記の理由から取り外しの過程でバッテリパック１１１を掴み直して取り外すことができる。なお上記と逆の手順で取付作業を行うことでバッテリパック１１１をバッテリホルダ部１０９に取り付けることができる。
【００２５】
このように、本実施の形態によれば、バッテリプロテクタ１２１の前方開放部分ＦＯおよび後方開放部分ＲＯが開放された構成とすることで、バッテリプロテクタ１２１をバッテリホルダ部１０９に装着したままで、バッテリパック１１１をバッテリホルダ部１０９に対して着脱することが可能とされる。バッテリプロテクタ１２１の前方開放部分ＦＯおよび後方開放部分ＲＯは、本発明における「開放領域」に対応する。
【００２６】
本実施の形態に係る震動ドライバドリル１００は、上記のように、バッテリパック１１１を保護するバッテリプロテクタ１２１を備えている。バッテリプロテクタ１２１は、左右の側枠部１２３がバッテリパック１１１の左右の側面１１１ｂから離間した状態で当該側面１１１ｂ上に配置されるとともに、側枠部１２３の前端部、後端部、および下端部がそれぞれバッテリパック１１１の前面１１１ａ、後面１１１ｃ、および底面１１１ｄよりも外方へと突出している。このため、震動ドライバドリル１００の使用中、あるいは可搬時において、例えば地面に落した場合、バッテリプロテクタ１２１の左右の側枠部１２３の一方あるいは双方が地面に衝突することで、バッテリパック１１１の側面１１１ｂのみならず、前面１１１ａ、後面１１１ｃ、および底面１１１ｄが直接に地面に衝突することを防止することができる。すなわち、バッテリプロテクタ１２１の前方部分および後方部分を開放した構造でありながら、バッテリパック１１１の外表面全体を覆った場合と同等の保護効果が得られる。
そして側枠部１２３は、バッテリパック１１１の左右の側面１１１ｂから離間した状態で配置されている。このため、当該側枠部１２３に作用した外力（衝撃力）がバッテリパック１１１に伝達することを防止する。このように、本実施の形態によれば、震動ドライバドリル１００を、その使用中あるいは可搬時に落としたりあるいは他物にぶつけたりした場合の衝撃からバッテリパック１１１をバッテリプロテクタ１２１によって効果的に保護することができる。
【００２７】
また本実施の形態では、左右の側枠部１２３を板金製の剛体部１２３ａと、当該剛体部１２３ａを包み込む弾性体部１２３ｂによって構成している。このため、左右の側枠部１２３について、所定の剛性を確保しつつ地面あるいは他物に衝突したときの衝撃を緩和することができ、バッテリパック１１１の保護性能をより向上できる。
【００２８】
また本実施の形態では、バッテリプロテクタ１２１を工具本体側であるバッテリホルダ部１０９に着脱自在に装着する構成としている。このため、バッテリパック１１１に直接に緩衝材を設ける構成とは異なり、バッテリプロテクタ１２１が損傷した場合には、当該バッテリプロテクタ１２１のみを交換することで対応でき、バッテリパック毎交換する必要がない。
【００２９】
また震動ドライバドリル１００の作業形態によっては、バッテリプロテクタ１２１の存在が加工作業の邪魔になることもあり得る。本実施の形態では、バッテリプロテクタ１２１を着脱自在に構成してあるため、上記のような場合には、バッテリプロテクタ１２１を取り外した状態で加工作業を行うことができる。
【００３０】
また本実施の形態においては、引っ掛けフック用、あるいはビットホルダ用として、バッテリホルダ部１０９に備えられているところの、既存の係止溝１０９ａおよびネジ孔付き取付部１０９ｂからなる付属品の装着部を利用してバッテリプロテクタ１２１を装着する構成としている。すなわち、バッテリプロテクタ１２１の側枠部に１２３に、係止溝１０９ａに挿入可能な係止片１２３ｄと、取付ネジ１２９の取付孔１２３ｅを設けることで、バッテリホルダ部１０９にバッテリプロテクタ１２１を装着することを可能としたものである。これによってバッテリプロテクタ１２１の取付構造が合理的に構築されるとともに、付属品の装着部に対し、付属品とバッテリプロテクタ１２１とのいずれか一方を選択的に取り付けることが可能となる。
【００３１】
また本実施の形態では、左右の側枠部１２３が連結ピン１２７を支点にして水平回動することによって両側枠部１２の係止片２３ｄ側の間隔を広げ、あるいは狭めることができる構成としている。このため、バッテリホルダ部１０９にバッテリプロテクタ１２１を取り付け、あるいは取り外す際、係止片１２３ｄを係止溝１０９ａに容易に挿入、あるいは抜き取ることが可能となり、バッテリプロテクタ１２１の着脱作業の簡易化を図る上で有効となる。
【００３２】
また本実施の形態におけるバッテリプロテクタ１２１は、左右の側枠部１２３と、両側枠部１２３をその下部側において互いに連結する連結板１２５とによって前面視で概ねＵ字形に形成し、バッテリパック１１１の着脱方向である前方および後方がそれぞれ開放された構成としたことにより、バッテリプロテクタ１２１をバッテリホルダ１０９に装着したままで、バッテリパック１１１をバッテリホルダ部１０９に取り付けあるいは取り外すことができる。このため、バッテリパック１１１の着脱作業の作業性が向上する。
【００３３】
次に本発明の第２の実施形態に係るバッテリプロテクタ１２１につき、図５を参照しつつ説明する。この実施の形態に係るバッテリプロテクタ１２１は、左右の側枠部１２３が、板金製の剛体部１２３ａのみによって構成されている。また左右の側枠部１２３は、その下辺側において一体に形成された連結板１２５によって相互に結合されている。なお左右の側枠部１２３における上辺側に、バッテリプロテクタ１２１をバッテリホルダ１０９に取り付けるための係止片１２３ｄと取付孔１２３ｅが備えられることについては、前述した第１の実施形態と同様である。
【００３４】
上記のように構成されたバッテリプロテクタ１２１は、便宜上図示を省略するが、前述した第１の実施形態と同様に、ハンドグリップ１０７の下端部のバッテリホルダ部１０９に設けた係止溝１０９ａに係止片１２３ｄを差し込むとともに、取付孔１２３ｅから挿入した取付ネジ１２９をネジ孔付きの取付部１０９ｂに締着することによってバッテリホルダ部１０９に装着される。左右の側枠部１２３は、連結板１２５の弾性撓みを利用してその上辺側が互いに離間するように間隔を広げることが可能とされている。このため、係止片１２３ｄの係止溝１０９ａに対する挿入あるいは抜き取りは、何らの支障もなく行うことができる。またバッテリプロテクタ１２１は、係止片１２３ｄによってバッテリホルダ部１０９に対して位置決めおよび仮止めされるため、取付ネジ１２９によるねじ止め作業の簡便化が可能となる。またバッテリプロテクタ１２１は、剛体部１２３ａのみ、すなわち板金のみによって製作される構成のため、所定の剛性を確保しつつ、構造の簡素化、および軽量化が図れるとともに、製作コストを低減する上で有効となる。
【００３５】
なお上述した第１および第２の実施形態は、バッテリパック１１１がハンドグリップ１０７の延在方向と交差する方向に移動することでバッテリホルダ部１０９に着脱するスライド式の場合で説明したが、バッテリパック１１１がハンドグリップ１０７の延在方向に移動することで着脱する抜き差し式に適用してもよい。抜き差し式の場合、バッテリパック１１１の着脱方向は、上下方向となる。このため、当該抜き差し式のバッテリパック１１１を保護するべく備えられるバッテリプロテクタ１２１については、バッテリパック１１１の外郭を形成する各面のうち、少なくともバッテリパック１１１をバッテリホルダ部１０９にロックするロック装置のロック解除レバー１１７が配置される１つの面（例えば前面）と向き合う面、およびバッテリパック１１１の抜き取り方向である下面（底面）と向き合う面がそれぞれ開放され、それら２つの面以外の面については、バッテリパック保護領域としての枠状部を備えた構成とされる。かかる構成とすれば、バッテリプロテクタ１２１をバッテリホルダ部１０９に装着したままで、使用者は、バッテリプロテクタ１２１の開放部分から手指を差し入れてロック解除レバー１１７を操作して取り外しを可能とした後、バッテリパック１１１の前面と底面を把持して下方へと引き抜くことにより、バッテリホルダ部１０９から取り外し、あるいは取り付けることができる。
【００３６】
また上述した実施の形態においては、使用者が手指によりロック解除レバー１１７を操作してバッテリパック１１１の取外しを可能とする状態に保持しつつ、バッテリパック１１１を掴んでバッテリホルダ部１０９から取り外す過程で、手指が連結板１２５を横切る構成としているが、バッテリプロテクタ１２１につき、バッテリパック保護領域と開放領域の構成を適宜変更することで、バッテリパック１１１を掴んだ手指がバッテリパック保護領域を横切らない構成、つまり干渉することなく（掴み直すことなく）通り抜けることができるようにしてもよい。また第１の実施形態において、連結ピン１２７を介して左右の側枠部１２３が水平回動する構成は、第２の実施形態で説明した、左右の側枠部１２３を連結板１２５により一体に形成する構成に変更してもよい。またバッテリプロテクタ１２１のバッテリホルダ部１０９に対する取付構造については、図示の構造とは異なる構造に変更してもよい。また側枠部１２３は、中央に開口部を有しない構成、例えば平板によって構成し、バッテリパック１１１の側面全体を覆う構成に変更しても構わない。また本実施の形態は、電動工具として、充電式震動ドライバドリル１００を用いて説明したが、その適用は震動ドライバドリル１００に限られない。すなわち、外部に露出した状態に置かれるバッテリパックを有する充電式の作業工具であれば広く適用可能である。
【００３７】
なお本発明の趣旨に鑑み、以下の態様を構成することが可能である。
（態様１）
「請求項１〜３に記載の電動工具であって、
前記バッテリパック保護領域は、当該バッテリパック保護領域の少なくとも一部に弾性部材を備えることを特徴とする電動工具。」
態様１に記載の発明によれば、バッテリパック保護領域に作用する衝撃を弾性部材によって緩和することで、バッテリパックの保護性能をより向上できる。
【００３８】
（態様２）
「請求項４に記載の電動工具用プロテクタであって、
前記バッテリパック保護領域は、当該バッテリパック保護領域の少なくとも一部に弾性部材を備えることを特徴とする電動工具用プロテクタ。」
態様２に記載の発明によれば、バッテリパック保護領域に作用する衝撃を弾性部材によって緩和することで、バッテリパックの保護性能をより向上できる。
【００３９】
（態様３）
「請求項２に記載の電動工具であって、
前記取付部は、係止溝とネジ孔付き取付部によって構成され、
前記プロテクタは、前記係止溝に抜き差し可能な係止片と、取付孔とを有し、前記係止溝に係止片を挿入した状態で前記取付孔を通して前記ネジ孔にねじ込まれる取付ネジによってネジ止めされる構成としたことを特徴とする電動工具。」
態様３に記載の発明によれば、プロテクタの着脱作業を簡単に行うことができる。
【００４０】
（態様４）
「請求項１〜３のいずれか１つに記載の電動工具であって、
前記バッテリパック保護領域は、前記バッテリパックの左右の側面に沿って前後方向に延在する左右の側枠部、およびそれら側枠部を底面側において互いに連結する連結板によって構成され、これにより前記プロテクタは、上側部分、前側部分、および後側部分が開放されたフレーム構造とされていることを特徴とする電動工具。」
態様４に記載の発明によれば、プロテクタをフレーム構造とすることで、バッテリパックを保護した上で軽量化を図ることができる。
【００４１】
（態様５）
「態様４に記載の電動工具であって、
前記側枠部の前端部がバッテリパックの前面よりも前方に突出され、前記側枠部の後端部がバッテリパックの後面よりも後方に突出されていることを特徴とする電動工具。」
態様５に記載の発明によれば、プロテクタの前方部分および後方部分を開放した構造でありながら、バッテリパックの前面および後面をも保護することができる。
【図面の簡単な説明】
【００４２】
【図１】本発明の実施形態に係る充電式震動ドライバドリルの全体構成を示す斜視図である。
【図２】第１の実施形態に係るバッテリプロテクタの全体構成を示す斜視図である。
【図３】バッテリプロテクタが装着された状態の充電式震動ドライバドリルを前方から見た斜視図である。
【図４】バッテリプロテクタが装着された状態の充電式震動ドライバドリルを後方から見た斜視図である。
【図５】第２の実施形態に係るバッテリプロテクタの全体構成を示す斜視図である。
【符号の説明】
【００４３】
１００  震動ドライバドリル（電動工具）
１０１  本体部（工具本体）
１０３  モータハウジング
１０５  ギアハウジング
１０７  ハンドグリップ（グリップ）
１０７ａ  トリガ
１０９  バッテリホルダ部
１０９ａ  係止溝
１０９ｂ  取付部
１１１  バッテリパック
１１１ａ  前面
１１１ｂ  左右の側面
１１１ｃ  後面
１１１ｄ  底面
１１３  バッテリケース
１１５  バッテリカバー
１１７  ロック解除レバー（操作部）
１２１  バッテリプロテクタ（プロテクタ）
１２３  側枠部（バッテリパック保護領域）
１２３ａ  剛体部
１２３ｂ  弾性体部
１２３ｃ  突片
１２３ｄ  係止片
１２３ｅ  取付孔
１２５  連結板
１２７  連結ピン
１２９  取付ネジ
ＦＯ  前方開放部分（開放領域）
ＲＯ  後方開放部分（開放領域）
【図１】
2008036753.tif 000003
【図２】
2008036753.tif 000004
【図３】
2008036753.tif 000005
【図４】
2008036753.tif 000006
【図５】
2008036753.tif 000007